(57)【要約】【課題】簡単にできてコストダウンが図れ、しかも小型軽量にできて眼鏡としての外観形状や見栄えを大きく損なうことがないとともに、使用者に何らの負担を感じさせることなく、長時間安心して装着できる眼鏡型画像表示装置を提供する。【解決手段】眼鏡フレーム１に装着された眼鏡型画像表示装置であって、画像を表示する表示素子１５と、表示素子１５に表示された画像の画像光を導光する導光部１１とを有し、少なくとも導光部１１を、使用者が眼鏡フレーム１を装着した状態で、使用者の一方の眼球１３の前方から退避した第１の位置と、眼球１３の前方に延在して画像光を眼球１３に向けて射出可能な第２の位置とに変位可能に、眼鏡フレーム１のリム部３に配置する。【選択図】図１
2010232708.tif 000002
【特許請求の範囲】
【請求項１】
眼鏡型画像表示装置であって、
画像を表示する表示素子と、該表示素子に表示された画像の画像光を導光する導光部とを有し、
少なくとも前記導光部は、使用者が前記眼鏡フレームを装着した状態で、前記使用者の一方の眼球の前方から退避した第１の位置と、前記眼球の前方に延在して前記画像光を前記眼球に向けて射出可能な第２の位置とに変位可能に、前記眼鏡フレームのリム部に配置されていることを特徴とする眼鏡型画像表示装置。
【請求項２】
前記導光部は、前記第１の位置において前記リム部の外形の一部を形成する形状を有することを特徴とする請求項１に記載の眼鏡型画像表示装置。
【請求項３】
前記導光部は、前記第１の位置と前記第２の位置とに回動可能に前記リム部に設けられていることを特徴とする請求項１または２に記載の眼鏡型画像表示装置。
【請求項４】
前記導光部は、前記第１の位置と前記第２の位置とにスライド可能に前記リム部に設けられていることを特徴とする請求項１または２に記載の眼鏡型画像表示装置。
【請求項５】
前記表示素子は、前記導光部が前記第２の位置にある状態で、前記導光部の画像光入射端部と対向するように、前記導光部と分離して前記眼鏡フレームに設けられていることを特徴とする請求項１〜４のいずれか一項に記載の眼鏡型画像表示装置。
【請求項６】
前記表示素子は、前記導光部の画像光入射端部に、前記導光部と一体に移動可能に設けられていることを特徴とする請求項１〜４のいずれか一項に記載の眼鏡型画像表示装置。
【請求項７】
前記導光部は、前記第２の位置において、前記使用者の視軸方向への投影断面の幅が、前記眼球の瞳孔の直径よりも小さい４ｍｍ以下であることを特徴とする請求項１〜６のいずれか一項に記載の眼鏡型画像表示装置。
【請求項８】
前記導光部が前記第２の位置にある状態で、前記表示素子からの前記画像光が眼鏡レンズの外側を通って前記導光部に入射し、該導光部から射出される前記画像光が前記眼鏡レンズを透過して前記眼球に入射するように構成されていることを特徴とする請求項１〜７のいずれか一項に記載の眼鏡型画像表示装置。
【請求項９】
請求項５に記載の眼鏡型画像表示装置に用いる眼鏡フレームであって、
前記導光部を前記第１の位置および第２の位置に変位可能に装着するための導光部装着部と、
前記導光部が前記第１の位置においてリム部に位置するように、該リム部に形成された切り欠き部と、
前記表示素子を装填する表示素子装填部と、
を有することを特徴とする眼鏡フレーム。
【請求項１０】
請求項６に記載の眼鏡型画像表示装置に用いる眼鏡フレームであって、
前記表示素子が一体に設けられた前記導光部を前記第１の位置および第２の位置に変位可能に装着するための導光部装着部と、
前記導光部が前記第１の位置においてリム部に位置するように、該リム部に形成された切り欠き部と、
を有することを特徴とする眼鏡フレーム。
【発明の詳細な説明】
【技術分野】
【０００１】
本発明は、眼鏡型画像表示装置およびこれに用いる眼鏡フレームに関するものである。
【背景技術】
【０００２】
従来の眼鏡型画像表示装置として、例えば、眼鏡フレームのテンプルに固定される本体部と、本体部に近接する待機位置と眼鏡レンズの直前の使用位置とに移動可能な画像表示部とを有し、画像表示部を本体部により待機位置と使用位置とに自動的に移動させるようにしたものが知られている（例えば、特許文献１参照）。
【先行技術文献】
【特許文献】
【０００３】
【特許文献１】特開２００８−６７２８５号公報
【発明の概要】
【発明が解決しようとする課題】
【０００４】
しかしながら、上記の特許文献１に開示の画像表示装置にあっては、画像表示部を待機位置と使用位置とに自動的に移動させるために、本体部にモータやウォームギヤ等の駆動機構を内蔵しているとともに、本体部から延在して画像表示部の移動を案内するガイドレール等を設けている。
【０００５】
このため、装置が大掛かりとなって、コストアップになることが懸念される。また、画像表示部が待機位置にある場合に、使用者が、画像表示部やガイドレール等を目障りと感じることが懸念されるとともに、第三者から見た場合に、本体部や画像表示部等が眼鏡フレームから大きく突出して眼鏡としての見栄えが大きく損なわれることが懸念される。さらに、重量も重くなることから、装着状態において、使用者の鼻や耳にかかる荷重が大きくなって、長時間の装着が困難になることも懸念される。
【０００６】
したがって、かかる点に鑑みてなされた本発明の目的は、簡単にできてコストダウンが図れ、しかも小型軽量にできて眼鏡としての外観形状や見栄えを大きく損なうことがないとともに、使用者に何らの負担を感じさせることなく、長時間安心して装着できる眼鏡型画像表示装置およびこれに用いる眼鏡フレームを提供することにある。
【課題を解決するための手段】
【０００７】
上記目的を達成する請求項１に係る発明は、眼鏡型画像表示装置であって、
画像を表示する表示素子と、該表示素子に表示された画像の画像光を導光する導光部とを有し、
少なくとも前記導光部は、使用者が眼鏡フレームを装着した状態で、前記使用者の一方の眼球の前方から退避した第１の位置と、前記眼球の前方に延在して前記画像光を前記眼球に向けて射出可能な第２の位置とに変位可能に、前記眼鏡フレームのリム部に配置されていることを特徴とするものである。
【０００８】
請求項２に係る発明は、請求項１に記載の眼鏡型画像表示装置において、
前記導光部は、前記第１の位置において前記リム部の外形の一部を形成する形状を有することを特徴とするものである。
【０００９】
請求項３に係る発明は、請求項１または２に記載の眼鏡型画像表示装置において、
前記導光部は、前記第１の位置と前記第２の位置とに回動可能に前記リム部に設けられていることを特徴とするものである。
【００１０】
請求項４に係る発明は、請求項１または２に記載の眼鏡型画像表示装置において、
前記導光部は、前記第１の位置と前記第２の位置とにスライド可能に前記リム部に設けられていることを特徴とするものである。
【００１１】
請求項５に係る発明は、請求項１〜４のいずれか一項に記載の眼鏡型画像表示装置において、
前記表示素子は、前記導光部が前記第２の位置にある状態で、前記導光部の画像光入射端部と対向するように、前記導光部と分離して前記眼鏡フレームに設けられていることを特徴とするものである。
【００１２】
請求項６に係る発明は、請求項１〜４のいずれか一項に記載の眼鏡型画像表示装置において、
前記表示素子は、前記導光部の画像光入射端部に、前記導光部と一体に移動可能に設けられていることを特徴とするものである。
【００１３】
請求項７に係る発明は、請求項１〜６のいずれか一項に記載の眼鏡型画像表示装置において、
前記導光部は、前記第２の位置において、前記使用者の視軸方向への投影断面の幅が、前記眼球の瞳孔の直径よりも小さい４ｍｍ以下であることを特徴とするものである。
【００１４】
請求項８に係る発明は、請求項１〜７のいずれか一項に記載の眼鏡型画像表示装置において、
前記導光部が前記第２の位置にある状態で、前記表示素子からの前記画像光が眼鏡レンズの外側を通って前記導光部に入射し、該導光部から射出される前記画像光が前記眼鏡レンズを透過して前記眼球に入射するように構成されていることを特徴とするものである。
【００１５】
さらに、上記目的を達成する請求項９に係る眼鏡フレームの発明は、請求項５に記載の眼鏡型画像表示装置に用いる眼鏡フレームであって、
前記導光部を前記第１の位置および第２の位置に変位可能に装着するための導光部装着部と、
前記導光部が前記第１の位置においてリム部に位置するように、該リム部に形成された切り欠き部と、
前記表示素子を装填するための表示素子装填部と、
を有することを特徴とするものである。
【００１６】
さらに、上記目的を達成する請求項１０に係る眼鏡フレームの発明は、請求項６に記載の眼鏡型画像表示装置に用いる眼鏡フレームであって、
前記表示素子が一体に設けられた前記導光部を前記第１の位置および第２の位置に変位可能に装着するための導光部装着部と、
前記導光部が前記第１の位置においてリム部に位置するように、該リム部に形成された切り欠き部と、
を有することを特徴とするものである。
【発明の効果】
【００１７】
本発明に係る眼鏡型画像表示装置によれば、表示素子からの画像光を導光する導光部を、眼鏡フレームのリム部に、眼球の前方から退避した第１の位置と、眼球の前方に延在して画像光を眼球に向けて射出可能な第２の位置とに変位可能に配置したので、構成を簡単にできるとともに、小型軽量にできる。これにより、コストダウンが図れ、眼鏡としての見栄えを大きく損なうことがないとともに、使用者に何らの負担を感じさせることなく、長時間安心して装着することが可能となる。
【００１８】
また、本発明に係る眼鏡フレームによれば、上述した作用効果を奏する眼鏡型画像表示装置を簡単に構成できる眼鏡フレームを提供することが可能となる。
【図面の簡単な説明】
【００１９】
【図１】本発明の第１実施の形態に係る眼鏡型画像表示装置の画像非観察状態を示す正面図および側面図である。
【図２】図１に示す眼鏡型画像表示装置の画像観察可能状態を示す正面図および側面図である。
【図３】図１に示す眼鏡型画像表示装置の部分概略図である。
【図４】本発明の第２実施の形態に係る眼鏡型画像表示装置の画像非観察状態を示す正面図および側面図である。
【図５】図４に示す眼鏡型画像表示装置の画像観察可能状態を示す正面図および側面図である。
【図６】図４に示す眼鏡型画像表示装置の部分概略図である。
【図７】本発明の第３実施の形態に係る眼鏡型画像表示装置の画像非観察状態を示す正面図および側面図である。
【図８】図７に示す眼鏡型画像表示装置の画像観察可能状態を示す正面図および側面図である。
【図９】図７に示す眼鏡型画像表示装置の部分概略図である。
【図１０】本発明の第４実施の形態に係る眼鏡型画像表示装置の画像非観察状態を示す正面図および側面図である。
【図１１】図１０に示す眼鏡型画像表示装置の画像観察可能状態を示す正面図および側面図である。
【図１２】本発明の第５実施の形態に係る眼鏡型画像表示装置の画像非観察状態を示す正面図および側面図である。
【図１３】図１２に示す眼鏡型画像表示装置の画像観察可能状態を示す正面図および側面図である。
【図１４】本発明の第６実施の形態に係る眼鏡フレームの概略構成を示す部分正面図である。
【図１５】本発明の第７実施の形態に係る眼鏡フレームの概略構成を示す部分正面図である。
【発明を実施するための形態】
【００２０】
以下、本発明の実施の形態について、図を参照して説明する。
【００２１】
（第１実施の形態）
図１〜図３は、本発明の第１実施の形態に係る眼鏡型画像表示装置の概略構成を示すもので、図１（ａ）および（ｂ）は、画像観察を行わない画像非観察状態を示す正面図および側面図、図２（ａ）および（ｂ）は、画像観察が可能な画像観察可能状態を示す正面図および側面図、図３（ａ）〜（ｃ）は、部分概略図である。
【００２２】
本実施の形態に係る眼鏡型画像表示装置は、右眼タイプのもので、眼鏡フレーム１の右眼用のレンズ２を保持する右眼用のリム部３に設けられた導光部１１を有する。導光部１１は、プラスチックやガラス等からなり、リム部３の下側部分の中央から外側部分の一部に亘って形成された切り欠き部４に選択的に延在するように、一端部を、保持部材１２を介してリム部３の外側中央部に回動可能に保持する。そして、使用者が眼鏡フレーム１を装着した状態で、図１（ａ）,（ｂ）に示す使用者の右眼球１３の前方から退避して切り欠き部４に延在する画像非観察状態の第１の位置と、図２（ａ）,（ｂ）に示す切り欠き部４から離間して右眼球１３の前方に延在する画像観察可能状態の第２の位置とに、手動により回動させて位置決め可能に構成する。
【００２３】
このため、保持部材１２には、その眼幅方向の両側面に、例えば回転軸（図示せず）を突出して設ける。また、リム部３には、保持部材１２の回転軸を回動可能に軸受して、第１の位置および第２の位置に選択的に位置決めする軸受部３ａ（図３（ｂ）参照）を形成する。なお、レンズ２は、使用者の右眼球１３の視力に応じて、視度を有するレンズで構成するか、あるいは、視度を有しない単なる透明部材で構成する。
【００２４】
また、導光部１１は、第１の位置において、リム部３の外形の一部を形成する形状とする。本実施の形態では、リム部３の外観形状が概略四角形状を有しているので、導光部１１は、外観形状が概略Ｌ字状の形状として、一端部の入射面１１ａから入射した光を、内部の反射面１１ｂ，１１ｃで順次反射させて、他端部に設けた接眼レンズ１１ｄを経て入射方向とほぼ反対方向に射出して眼球に導くように構成する。
【００２５】
なお、導光部１１は、第２の位置にある状態で、使用者の視軸方向への投影断面の幅が、ヒトの通常環境での瞳孔の直径である４ｍｍよりも小さくするとともに、使用者の前方に延在する部分は、一端部側から他端部側に向けて幅が小さくなるテーパ形状に形成する。ここではテーパ形状部分全体にわたって幅を４ｍｍより小さくしている。また、導光部１１は、第２の位置にある状態で、使用者が視線を無限遠に向けたときの右眼球１３の視軸に達しない長さとする。
【００２６】
一方、リム部３と右側のテンプル５とを結合する鎧部６には、図３（ａ）,（ｂ）に示すように、映像表示部１４を内蔵して設ける。この映像表示部１４には、導光部１１が図２（ａ）,（ｂ）に示した第２の位置にある状態で、導光部１１の入射面１１ａと対向するように、ＬＣＤや有機ＥＬからなる表示素子１５が設けられるとともに、その画像表示面側に保護窓１６を設ける。
【００２７】
これにより、導光部１１が第２の位置にある状態で、図３（ｃ）に示すように、表示素子１５に表示された画像の画像光を、保護窓１６を経てレンズ２の側方の外側から導光部１１の入射面１１ａに入射させて、該導光部１１の反射面１１ｂ，１１ｃおよび接眼レンズ１１ｄを経て導光部１１から、レンズ２を透過させて右眼球１３に向けて射出する。したがって、使用者は、導光部１１が第２の位置にある状態で、右眼球１３の視線を接眼レンズ１１ｄに向けることにより、表示素子１５に表示された画像の拡大虚像を観察することが可能となる。
【００２８】
以上のように、本実施の形態では、導光部１１をリム部３に回動可能に設け、表示部１４を鎧部６に内蔵して、導光部１１を手動により回動させることにより、図１（ａ）,（ｂ）に示した画像非観察状態と、図２（ａ）,（ｂ）に示した画像観察可能状態とを切り替えるようにしている。そして、導光部１１が第１の位置にある画像非観察状態では、導光部１１はリム部３の外形を形成し、導光部１１が第２の位置にある画像観察可能状態では、使用者は、右眼球１３の視線を接眼レンズ１１ｄに向けることにより、表示素子１５に表示された画像の拡大虚像を観察可能としている。したがって、構成を簡単にできるとともに、小型軽量にできるので、コストダウンが図れるとともに、使用者に重量感等の負担を感じさせることなく、長時間安心して装着することが可能となる。
【００２９】
また、導光部１１は、画像非観察状態の第１の位置において、リム部３の外形を成しているので、使用者が導光部１１を目障りに感じるのを防止できるとともに、眼鏡フレーム１の外観形状や見栄えを大きく損なうこともない。しかも、導光部１１は、画像観察可能状態の第２の位置での使用者の視軸方向への投影断面の幅が、通常環境での瞳孔の直径よりも小さい４ｍｍ以下となっているので、実質的に視界を遮ることがなくなり、使用者は、導光部１１をシースルーとできる。しかも、導光部１１は、瞳孔側に向けて先細りのテーパ状となっているので、より明るい視野を確保することが可能になるとともに、導光先端部をより細くすることができ、シースルー効果を高めることができる。また、導光部１１の第２の位置が若干ずれて、右眼球１３と接眼レンズ１１ｄの光軸とがズレた場合でも、導光部１１の入射端部が太いことで入射部開口によるケラレが発生しにくくできる利点がある。
【００３０】
さらに、導光部１１が第２の位置にある状態で、表示素子１５からの画像光は、レンズ２の外側を通って、すなわちレンズ２を透過することなく、導光部１１の入射面１１ａに入射する。したがって、レンズ２の種類によって表示画像の画質が低下するのを防止することができる。また、導光部１１により導光されて接眼レンズ１１ｄから射出される画像光は、レンズ２を透過して右眼球１３に入射するので、使用者は、レンズ２により矯正された視力で画像を観察することが可能となり、これにより視度の調整機構を省略することが可能となる。
【００３１】
（第２実施の形態）
図４〜図６は、本発明の第２実施の形態に係る眼鏡型画像表示装置の概略構成を示すもので、図４（ａ）および（ｂ）は、画像非観察状態を示す正面図および側面図、図５（ａ）および（ｂ）は、画像観察可能状態を示す正面図および側面図、図６（ａ）および（ｂ）は、図３（ａ）および（ｂ）に対応する部分概略図である。
【００３２】
本実施の形態に係る眼鏡型画像表示装置は、第１実施の形態に対して、リム部３の上側部分の中央から外側部分の一部に亘って切り欠き部４を形成し、この切り欠き部４に導光部１１が選択的に延在するように、導光部１１をリム部３に回動可能に保持したものである。その他の構成は、第１実施の形態と同様であるので、同一構成要素には、同一参照符号を付して説明を省略する。
【００３３】
したがって、本実施の形態においても、第１実施の形態と同様の作用効果を奏することができる。特に、本実施の形態の場合は、導光部１１が、リム部３の上部位置からレンズ１２の中央部近傍に回動して、図４（ａ）,（ｂ）に示す第１の位置から、図５（ａ）,（ｂ）に示す第２の位置へ移行するので、第２の位置において、導光部１１の保持部材１２の下面（第１の位置で正面に位置する面）を、リム部３の切り欠き面３ｃに当接させて下方への回動を規制することができる。したがって、第２の位置を、より容易にしかも安定して位置決めすることが可能となる。
【００３４】
（第３実施の形態）
図７〜図９は、本発明の第３実施の形態に係る眼鏡型画像表示装置の概略構成を示すもので、図７（ａ）および（ｂ）は、画像非観察状態を示す正面図および側面図、図８（ａ）および（ｂ）は、画像観察可能状態を示す正面図および側面図、図９（ａ）,（ｂ）は、部分概略図である。
【００３５】
本実施の形態に係る眼鏡型画像表示装置は、リム部３の外観形状が第１実施の形態の場合と比較して湾曲している。このため、本実施の形態では、導光部１１を、図７（ａ）,（ｂ）に示す第１の位置にある画像非観察状態で、リム部３の外形の一部を形成するように、リム部３の外観形状に合わせて湾曲した外観形状に形成している。このように湾曲した導光部１１は、例えば、公知の自由曲面プリズム（例えば、特許第３６７６４７２号参照）で構成することができる。この場合、導光部１１は、レンズ作用を有するので、図１に示した接眼レンズ１１ｄは不要となる。
【００３６】
導光部１１は、その入射端部をリム部３に回動可能に片持ち支持する。すなわち、導光部１１の入射端部において、レンズ２側の面に、直接、回転軸を突設し、この回転軸をリム部３に形成された軸受部３ａにより回動可能に軸受されて、第１の位置および第２の位置に位置決め可能となっている。
【００３７】
また、映像表示部１４は、鎧部６に保持されて、導光部１１が図８（ａ）,（ｂ）に示した第２の位置にある状態で、表示素子１５に表示される画像の画像光が、保護窓１６を経て導光部１１の入射面１１ａから導光部１１内に入射するようになっている。なお、図９（ａ）および（ｂ）は、導光部１１を取り外した状態の部分概略正面図および側面図である。その他の構成および作用は、第１実施の形態と同様であるので、同一機能を成す構成要素には、同一参照符号を付して説明を省略する。
【００３８】
したがって、本実施の形態においても、第１実施の形態と同様の作用効果を奏することができる。なお、本実施の形態において、導光部１１を、第２実施の形態の場合と同様に、リム部３の上側部分に回動可能に設けて、第２実施の形態で説明したと同様の効果を得ることもできる。
【００３９】
（第４実施の形態）
図１０および図１１は、本発明の第４実施の形態に係る眼鏡型画像表示装置の概略構成を示すものであり、図１０（ａ）および（ｂ）は、画像非観察状態を示す正面図および側面図、図１１（ａ）および（ｂ）は、画像観察可能状態を示す正面図および側面図である。
【００４０】
本実施の形態に係る眼鏡型画像表示装置は、導光部１１を、図１０（ａ）,（ｂ）に示す画像非観察状態の第１の位置と、図１１（ａ）,（ｂ）に示す画像観察可能状態の第２の位置とに、手動によりスライド可能にリム部３に設けたものである。このため、リム部３の上側部分に、スライド可能にスライドガイド１７を設け、このスライドガイド１７に導光部１１を支持する。
【００４１】
スライドガイド１７は、導光部１１が第１の位置にある画像非観察状態では、リム部３の切り欠き部４に、レンズ２の外周に沿って露出し、導光部１１が第２の位置にある画像観察可能状態では、リム部３の上側部分にスライドして収納されて、外部に露出しないように設ける。
【００４２】
導光部１１は、例えば、内部に平面状の反射面を有するプリズムや、第３実施の形態で説明したような自由曲面プリズムを用いて構成し、第１の位置にある画像非観察状態では、リム部３の外形の一部を形成する形状とする。
【００４３】
また、映像表示部１４は、鎧部６に内蔵し、導光部１１が第２の位置にある状態で、表示素子１５に表示された画像の画像光を、保護窓１６を介して導光部１１に入射させて、使用者の右眼球１３に向けて射出するように構成する。その他の構成は、上記第１実施の形態あるいは第３実施の形態と同様である。
【００４４】
したがって、本実施の形態においても、第１実施の形態や第３実施の形態と同様の作用効果を奏することができる。なお、スライドガイド１７は、リム部３の上側部分に収納されるようにスライド可能に設ける場合に限らず、リム部３の上側部分から下側部分に延在して固定的に配置し、このスライドガイド１７に対して導光部１１をスライド可能に支持して、第１の位置、第２の位置に選択的に位置決め可能に構成することもできる。また、導光部１１は、リム部３の上側部分にスライド可能に設けることもできる。この場合は、第２の位置において、導光部１１の重量を利用して、その入射端部を鎧部６に当接させることが可能となるので、第２の位置の位置決めが容易になる利点がある。
【００４５】
（第５実施の形態）
図１２および図１３は、本発明の第５実施の形態に係る眼鏡型画像表示装置の概略構成を示すものであり、図１２（ａ）および（ｂ）は、画像非観察状態を示す正面図および側面図、図１３（ａ）および（ｂ）は、画像観察可能状態を示す正面図および側面図である。
【００４６】
本実施の形態に係る眼鏡型画像表示装置は、第１実施の形態において、表示素子１５を、導光部１１の入射端面に対向するように保持部材１２に保持して、導光部１１と一体に回動可能に構成したものである。その他の構成は、第１実施の形態と同様であるので、同一構成要素には、同一参照符号を付して説明を省略する。
【００４７】
したがって、本実施の形態においても、第１実施の形態と同様の作用効果を奏することができる。特に、本実施の形態では、表示素子１５を導光部１１側に設けて、導光部１１と一体に回動可能に構成したので、表示素子１５を導光部１１と別体に設ける場合と比較して、構造をより簡単にでき、組立性を向上することができる。これにより、よりコストダウンを図ることが可能となる。なお、このように、表示素子１５を導光部１１側に設ける構成は、第２実施の形態〜第４実施の形態の場合にも有効に適用することができる。
【００４８】
（第６実施の形態）
図１４は、本発明の第６実施の形態に係る眼鏡フレームの概略構成を示す部分正面図である。この眼鏡フレーム２１は、図１〜図３に示した第１実施の形態に係る眼鏡型画像表示装置を構成するためのもので、上述した導光部１１を第１の位置および第２の位置に変位可能に装着するための導光部装着部２２と、導光部１１が上述した第１の位置においてリム部２３に位置するように、該リム部２３に形成された切り欠き部２４と、表示素子１５を含む映像表示部１４を装填するための表示素子装填部２５とを有している。導光部装着部２２は、リム部２３に形成されており、表示素子装填部２５は、鎧部２６に形成されている。なお、テンプル等、他の眼鏡フレームの構成要素は、図示を省略してある。
【００４９】
したがって、この眼鏡フレーム２１を用いれば、図１〜図３に示したように、リム部２３にレンズ２を取り付け、導光部装着部２２に保持部材１２を介して導光部１１を第１の位置および第２の位置に回動可能に装着し、表示素子装填部２５に表示素子１５および保護窓１６を有するユニット化された映像表示部１４を装填することにより、眼鏡型画像表示装置を簡単に構成することができる。
【００５０】
（第７実施の形態）
図１５は、本発明の第７実施の形態に係る眼鏡フレームの概略構成を示す部分正面図である。この眼鏡フレーム３１は、図１２および図１３に示した第５実施の形態に係る眼鏡型画像表示装置を構成するためのもので、上述した導光部１１を第１の位置および第２の位置に変位可能に装着するための導光部装着部３２と、導光部１１が上述した第１の位置においてリム部３３に位置するように、該リム部３３に形成された切り欠き部３４とを有している。導光部装着部３２は、リム部３３に形成されている。なお、テンプル等、他の眼鏡フレームの構成要素は、図示を省略してある。
【００５１】
したがって、この眼鏡フレーム２１を用いれば、図１２および図１３に示したように、リム部３３にレンズ２を取り付け、導光部装着部３２に、保持部材１２を介して表示素子１５を一体に保持した導光部１１を、第１の位置および第２の位置に回動可能に装着することにより、眼鏡型画像表示装置を簡単に構成することができる。
【００５２】
なお、本発明は、上記実施の形態にのみ限定されるものではなく、幾多の変形または変更が可能である。例えば、上記実施の形態に係る眼鏡型画像表示装置においては、導光部１１の第２の位置における使用者の視軸方向への投影断面の幅を、全体に亘って通常環境での瞳孔の直径よりも小さい４ｍｍ以下としたが、導光部１１の射出部分を含む導光先端部分のみを瞳孔の直径よりも小さくして、シースルー機能を持たせることもできる。また、導光部１１は、画像光の入射端部側から射出端部側に向けて先細りとなるテーパ形状に限らず、表示素子１５からの画像光を入射可能に、入射端部側から射出端部側に向けて一様な大きさとすることもできる。勿論、この場合も、第２の位置において、観察者の視軸方向への投影断面の幅を、瞳孔の直径よりも小さくして、シースルー機能を持たせることもできる。
【００５３】
また、本発明に係る眼鏡フレームは、図１４および図１５に示した構成に限らず、第２〜４の各実施の形態に係る眼鏡型画像表示装置を構成するための眼鏡フレームとして構成することもできる。
【００５４】
さらに、本発明は、上述した右眼タイプに限らず、左眼タイプとして構成することもできる。また、両眼側のリム部にそれぞれ導光部を設けたり、片側のリム部の上下にそれぞれ導光部を設けたり、マルチ画面タイプとして構成することもできる。
【符号の説明】
【００５５】
１  眼鏡フレーム
２  レンズ
３  リム部
３ａ  軸受部
４  切り欠き部
５  テンプル
６  鎧部
１１  導光部
１１ａ  入射面
１１ｂ，１１ｃ  反射面
１１ｄ  接眼レンズ
１２  保持部材
１３  右眼球
１４  映像表示部
１５  表示素子
１６  保護窓
１７  スライドガイド
２１，３１  眼鏡フレーム
２２，３２  導光部装着部
２３，３３  リム部
２４，３４  切り欠き部
２５  表示素子装填部
２６  鎧部
【図１】
2010232708.tif 000003
【図２】
2010232708.tif 000004
【図３】
2010232708.tif 000005
【図４】
2010232708.tif 000006
【図５】
2010232708.tif 000007
【図６】
2010232708.tif 000008
【図７】
2010232708.tif 000009
【図８】
2010232708.tif 000010
【図９】
2010232708.tif 000011
【図１０】
2010232708.tif 000012
【図１１】
2010232708.tif 000013
【図１２】
2010232708.tif 000014
【図１３】
2010232708.tif 000015
【図１４】
2010232708.tif 000016
【図１５】
2010232708.tif 000017